(57)【特許請求の範囲】
【請求項１】
ルートハブを具備したコンピューター装置１０と接続され、電源供給部１６を備えて情報をディスプレイするディスプレイ装置において、
前記コンピューター装置１０のルートハブと接続されて電源スイッチング情報が入力されるアップストリームポートＵＰ１と、前記電源供給部１６から供給される電源を選択的に出力するダウンストリームポートＤＰ１〜ＤＰ３と、を備えるＵＳＢハブを含み、
ＵＳＢハブは、コンピューター装置１０のルートハブを通じて提供される情報に依拠し、これに相応する制御動作を実行するＵＳＢ制御部６２と、このＵＳＢ制御部６２から提供される制御信号によってモニター装置内にある電源供給部１６から提供される電源をＵＳＢディバイスに選択的に提供するパワースイッチング部６４と、をさらに備え、
パワースイッチング部６４は、ダウンストリームポートＤＰ１〜ＤＰ３を通じてＵＳＢディバイスに供給される電源が過電流限界値を超過するかを判別し、これに対する情報をＵＳＢ制御部６２に伝達し、供給電源が過電流限界値を超過すると、ＵＳＢ制御部６２は供給電源が過電流限界値を超過することを表す情報をコンピューター装置１０に提供し、これを受信したコンピューター装置１０は、ＵＳＢハブの該当ダウンストリームポートを通じて供給される電源を遮断する情報をＵＳＢ制御部６２に提供することを特徴とするディスプレイ装置。
【請求項２】
ディスプレイ装置はモニター装置であることを特徴とする、請求項１記載のディスプレイ装置。
【請求項３】
前記モニター装置は、
外部から提供される交流電源を前記モニター装置に必要な各種のレベル直流電圧にして出力する電源供給部１６と；
コンピューター装置１０のルートハブと接続されたアップストリームポートを通じて入力されるモニター駆動用情報を受信してビデオ信号処理に必要な制御信号Ｃｖ１〜Ｃｖｎ及び前記モニター駆動用情報に依拠しスクリーン及びフォーカスを調整する制御信号Ｃｓ１〜Ｃｓｍを出力するモニター制御部１９と；
前記モニター制御部１９から出力された前記制御信号Ｃｖ１〜Ｃｖｎに依拠し、前記コンピューター装置１０と接続されたＵＳＢケーブルを通じて入力されるＲ．Ｇ．Ｂ信号を処理するとともに、これをＣＲＴの電子銃に提供して、各々の電子銃からＲ．Ｇ．Ｂ．信号に対応するビームを照射させるビデオ信号処理部１７と；
前記制御信号Ｃｓ１〜Ｃｓｍに依拠し、前記ＵＳＢケーブルを通じて入力される垂直同期信号Ｖsyncと水平同期信号Ｈsyncを処理し、前記ＣＲＴ２０の電子銃から照射されるビームを偏向させてスクリーン及びフォーカスを制御する水平及び垂直同期信号処理部１８と；
を含む請求項２記載のディスプレイ装置。
【請求項４】
電源供給部１６は節電機能を持つＶＥＳＡのＤＰＭＳ方式により、電源供給を制御する方式を採用する請求項１〜３のいずれか１項に記載のディスプレイ装置。
【請求項５】
電源供給の制御方式は待機、一時停止及び電力遮断の節電制御段階からなっている請求項４記載のディスプレイ装置。
【請求項６】
電源供給部１６は、各種のレベル直流電源のうち、＋５Ｖの電源をＵＳＢハブのダウンストリームポートの電源に使用する請求項１〜４のいずれか１項に記載のディスプレイ装置。
【請求項７】
ＵＳＢディバイスはキーボード１２、オーディオ装置２３及びプリンター１４である請求項１記載のディスプレイ装置。
【請求項８】
モニター制御部１９とＵＳＢ制御部６２は、情報伝達を遂行するためにI2ＣあるいはＵＡＲＴを通じて接続されている請求項１記載のディスプレイ装置。
【請求項９】
ＵＳＢハブのアップストリームポートはＶdd、data＋、data−、及び接地（ground）セグメントで構成されている請求項１記載のディスプレイ装置。
【請求項１０】
ＵＳＢ制御部６２は、アップストリームポートを通じて入力されるコンピューター装置１０から提供のデータを、ダウンストリームポートに中継する請求項１又は請求項８に記載のディスプレイ装置。
【請求項１１】
ＵＳＢ制御部６２は、コンピューター装置１０からモニター装置を制御する信号を貯蔵、分析して、これに対する情報をI2ＣあるいはＵＡＲＴの通信プロトコールを通じて再びモニター制御部１９に再伝送する請求項１、８、１０のいずれか１項に記載のディスプレイ装置。
【請求項１２】
ＵＳＢ制御部６２は、スピーカー７２を通じて音声出力されるディジタル情報をディコーディングする手段と；マイク８２を通じて入力されるアナログ音声信号をインコーディングする手段と、を内部に備える請求項１、８、１０、１１のいずれか１項に記載のディスプレイ装置。
【請求項１３】
ディコーディング手段はディジタル情報をアナログ信号に変換するディジタル−アナログ変換機を備え、インコーディング手段はアナログ音声信号をディジタル信号に変換するアナログ−ディジタル変換機を備える請求項１２記載のディスプレイ装置。
【請求項１４】
ディスプレイ装置は、スピーカー７２を通じて音声出力されるディジタル情報をディコーディングする手段と；マイク８２を通じて入力されるアナログ音声信号をインコーディングする手段と、をさらに備える請求項１記載のディスプレイ装置。
【請求項１５】
スピーカー７２を通じて音声出力されるディジタル情報をディコーディングする手段をさらに備える請求項１記載のディスプレイ装置。
【請求項１６】
マイク８２を通じて入力されるアナログ音声信号をインコーディングする手段をさらに備える請求項１記載のディスプレイ装置。
【請求項１７】
ディコーディング手段はディジタル情報をアナログ信号に変換するディジタル−アナログ変換機を備える請求項１５記載のディスプレイ装置。
【請求項１８】
インコーディング手段はアナログ音声信号をディジタル信号に変換するアナログ−ディジタル変換機を備える請求項１６記載のディスプレイ装置。
【請求項１９】
ＵＳＢ制御部６２のダウンストリームポートには、スピーカー装置７４が接続される請求項１、８、１０、１１のいずれか１項に記載のディスプレイ装置。
【請求項２０】
スピーカー装置７４は、スピーカー７２と；このスピーカー７２を通じて音声出力されるディジタル情報をアナログ信号に変換する手段と、ダウンストリームポートに接続されるＵＳＢディバイスコネクタＤＣ６と、を含む請求項１９記載のディスプレイ装置。
【請求項２１】
ＵＳＢ制御部６２のダウンストリームポートにはマイク装置８４が接続される請求項１、８、１０、１１のいずれか１項に記載のディスプレイ装置。
【請求項２２】
マイク装置８４は、マイク８２と；このマイク８２を通じて入力されるアナログ音声信号をディジタル信号に変換する手段と、を含む請求項２１記載のディスプレイ装置。
【請求項２３】
ＵＳＢ制御部６２のダウンストリームポートには、スピーカー装置７４とマイク装置８４と、が接続される請求項１、８、１０、１１のいずれか１項に記載のディスプレイ装置。
【請求項２４】
スピーカー装置７４は、スピーカー７２と；このスピーカー７２を通じて音声出力されるディジタル情報をアナログ信号に変換する手段と、ダウンストリームポートに接続されるＵＳＢディバイスコネクタＤＣ６と、を含み、マイク装置８４は、マイク８２と；このマイク８２を通じて入力されるアナログ音声信号をディジタル信号に変換する手段と、を含む請求項２３記載のディスプレイ装置。
【請求項２５】
ルートハブを備えるコンピューター装置と、該コンピューター装置とアップストリームポートを通じて接続されるＵＳＢ制御部と、該ＵＳＢ制御部の命令に応じてダウンストリームポートを制御し電源供給部からの電源をＵＳＢディバイスに供給するパワースイッチング部と、を備えるディスプレイ制御装置の電源供給制御方法において、
コンピューター装置から電源スイッチング情報がアップストリームポートを通じてＵＳＢ制御部に入力されると、該ＵＳＢ制御部が入力情報を分析したスイッチング制御信号をパワースイッチング部へ出力する段階と；
該パワースイッチング部６４が前記スイッチング制御信号に応答してＵＳＢハブのダウンストリームポートを指定し、該当ポートを通じてＵＳＢディバイスに電源を供給する段階と；
前記パワースイッチング部６４がＵＳＢディバイスに供給される電源の過電流限界値を判別し、これに対する情報をＵＳＢ制御部に伝達する段階と；
該ＵＳＢ制御部が、過電流限界値の超過を表す情報を受信すると、該情報を前記コンピューター装置１０に提供する段階と；
該コンピューター装置が前記過電流限界値の超過を表す情報を受信すると、前記該当ダウンストリームポートを通じて供給される電源の遮断情報を前記ＵＳＢ制御部６２に提供する段階と、を含むことを特徴とするディスプレイ装置の電源供給制御方法。
【発明の詳細な説明】
【０００１】
【発明の属する技術分野】
本発明はコンピューター装置に接続されるディスプレイ装置に関するものであり、具体的には内部に設置された電源供給装置から提供される電源をＵＳＢハブを通じてハブ接続される周辺器機に選択的に供給することができるモニター装置と、このモニター装置で定格範囲を超過した異常電源がＵＳＢディバイスに提供される際、該当ポートを通じて供給される電源を遮断させる電源供給制御方法に関するものである。
【０００２】
【従来の技術】
図１に示すように、一般的にマイクロコンピューター装置１０は、ディスプレイ装置としてのモニター１１、キーボード１２及びプリンター１４またはプロッタと接続される。このコンピューター装置１０に適用されるモニター１１は、図２に示すように、通常的な接続手段でＤ−ＳｕｂあるいはＢＮＣビデオケーブル１５を通じてコンピューター１０の本体と接続されている。このコンピューター装置１０はケーブル１５を通じて、モニター１１にビデオ信号、たとえばＲ（red)．Ｇ（green)．Ｂ（blue）ビデオ信号、水平及び垂直同期信号及びモニター駆動に必要な各種情報信号を提供する。又、ケーブル１５を通じてモニター１１からコンピューター装置１０にモニター駆動結果に対応する各種情報信号が提供される。
【０００３】
上述した説明において、図１に示したキーボード１０、モニター１１、プリンター１４以外のその他周辺装置を従来のコンピュータ装置１０に接続する場合は、このコンピューター装置１０と各種周辺装置との間でコネクタ接続が複雑化するばかりでなく、そのような従来のコンピューター装置にはプラグ・アンド・プレイ（plug and play)機能がないことから、周辺装置の接続の際に、使用者が様々な設定をしなければならないという問題点があった。
【０００４】
このような問題点を解決するため様々な手法が提案されるなか、多くのパーソナルコンピューターの制作社と周辺装置の制作社等が、周辺装置の接続に関する電気的通信規約（communication protocol）と機械的コネクタ構造に関する標準化方式を共同で提案・規則化し、そのうちの一つとしてＵＳＢ（universal serial bus）が制定された。
【０００５】
ＵＳＢシステムの採用されていない従来のモニター装置を図３及び図４に示す。図３は一般的なモニター回路のブロック図で、ここでは処理されたビデオ信号及び制御信号を入力し、これをディスプレイするＣＲＴ（cathoderay tube）が示されている。図３における従来のモニター回路は、電源消費を減少させる電源管理機能を持ち、電源プラグから多くの電源が供給されてモニター回路に必要な各種のレベル電圧を出力する電源供給部１６、ビデオ信号処理部１７、水平及び垂直同期信号処理部１８、主制御部としてのモニター制御部１９及びＣＲＴ２０によって構成されている。
【０００６】
モニター制御部１９は、コンピューター装置１０と接続されたＤ−ＳｕｂあるいはＢＮＣビデオケーブル１５を通じて入力されるモニター駆動用情報を受け取り、ビデオ信号処理に必要な制御信号Ｃｖ１〜Ｃｖｎである映像調整用信号、ＲＧＢ駆動用信号及びＲＧＢカットオフ調整用信号を出力するとともに、モニター駆動用情報に依拠してスクリーン及びフォーカスを調整する制御信号Ｃｓ１〜Ｃｓｍを出力する。
【０００７】
ビデオ信号処理部１７は、モニター制御部１９から出力された制御信号Ｃｖ１〜Ｃｖｎに依拠し、コンピューター装置１０と接続されたケーブル１５を通じて入力されるＲ．Ｇ．Ｂビデオ信号を処理するとともに、これをＣＲＴ２０の電子銃（未図示）に提供して、各々の電子銃からＲ．Ｇ．Ｂ信号に対応するビームを照射させる。又、水平及び垂直同期信号処理部１８は、ケーブル１５を通じて入力される制御信号Ｃｓ１〜Ｃｓｍに依拠した垂直同期信号Ｖsyncと水平同期信号Ｈsyncを処理して、ＣＲＴ２０の電子銃から照射されるビームを偏向させ、スクリーン及びフォーカスを制御する。
【０００８】
図４のモニター１１は、図３で示した回路構成以外に、オーディオ信号を出力するオーディオ出力部２３と、音声信号を電気信号に変換する音声信号変換部２６と、をさらに備える構成としている。図４において図３で示した構成部品と同一機能を持つ構成部品に対しては同一な参照番号を併記し、それに関する説明は省略する。
【０００９】
オーディオ出力部２３は、モニター制御部１９から提供されるオーディオ信号を増幅する増幅部２１と、この増幅部２１から提供される増幅されたオーディオ信号を音声信号に変換するスピーカー２２と、で構成されている。音声信号変換部２６は、入力される音声信号を電気信号に変換するマイク２５と、この電気信号を予備増幅しマイクの入力レベルを調整する増幅及び調整部２４で構成されている。
【００１０】
【発明が解決しようとする課題】
図３あるいは図４に示したように、モニターはＤ−ＳｕｂあるいはＢＮＣビデオケーブル１５を備え、このケーブルを通じて、ビデオ信号や同期信号及び各種モニター駆動用情報がコンピューターからモニターに伝達される構造となっている。又、周辺装置がコンピューター装置と接続されるため、通常的にコンピューター装置にはその周辺装置との接続のための多くのコネクタが必要とされることから、この周辺装置との接続が複雑化するのみならず、コンピューター使用者が接続する場合、作業領域が狭くなるという問題点があった。
【００１１】
特に、コンピューター使用者の可視圈領域に位置すべきモニターに、他の周辺器機を接続するという接続構造はないので、プラグ・アンド・プレイ機能を用いることができないという問題点もあった。
【００１２】
前述のように、従来においてコンピューター装置と周辺装置の接続を単一化するため、一つあるいは二つのＵＳＢコネクタを備えるコンピューター装置があった。しかし、ＵＳＢケーブルを通じて接続ができる周辺装置が、たとえばキーボード、マウス、ジョイスティク、外部オーディオ、外部マイク、ペン（pen)、プリンター、ホン（phone)、シリアルコムニケーション、モニター等のように、その種類が多いのである。
【００１３】
このような多くの周辺装置を接続するためにはコンピューター装置に、これに対応する数だけＵＳＢコネクタを設ける必要があるが、この場合は、コンピュータ装置に集中的に接続しなければならず、周辺装置との接続が、結局、複雑化するという問題点があった。
【００１４】
以上のような問題点を解決する本発明の主目的は、ディスプレイ装置にＵＳＢハブを装着し、コンピューターの周辺装置をモニター装置に接続できるようにするディスプレイ装置を提供することである。
【００１５】
本発明の他の目的は、ディスプレイ装置に設けられたＵＳＢハブに接続されるコンピューターの周辺装置に、ディスプレイ装置内にある電源供給回路の電源を供給できるようにするディスプレイ装置を提供することにある。
【００１６】
本発明の他の目的は、ディスプレイ装置に設けられたＵＳＢハブを通じ、内蔵スピーカーを駆動するディスプレイ装置を提供することにある。
【００１７】
本発明の他の目的は、ディスプレイ装置に設けられたＵＳＢハブを通じ、内蔵マイクを駆動するディスプレイ装置を提供することにある。
【００１８】
本発明の他の目的は、ディスプレイ装置に設けられた多数個のＵＳＢハブを利用して、内蔵スピーカーとマイクを同時に駆動するディスプレイ装置を提供することにある。
【００１９】
本発明の他の目的は、ディスプレイ装置に設けられたＵＳＢハブを通じて、内蔵されたディスプレイ制御用コントローラに、コンピューターから提供されるディスプレイ制御信号を提供するようにしてディスプレイが制御されるようにしたディスプレイ装置を提供することにある。
【００２０】
本発明の他の目的は、モニター装置において、定格範囲を超過した異常電源がＵＳＢディバイスに提供される場合、該当ポートを通じて供給される電源を遮断させる方法を提供することにある。
【００２１】
【課題を解決するための手段】
本発明によれば、ルートハブを具備したコンピューター装置と接続され、電源供給部を備えて情報をディスプレイするディスプレイ装置は、コンピューター装置のルートハブと接続されて電源スイッチング情報が入力されるアップストリームポートと、電源供給部から供給される電源を選択的に出力するダウンストリームポートと、を備えるＵＳＢハブを含むことを特徴とする。
【００２２】
このディスプレイ装置はモニター装置であり、このモニター装置は、外部から提供される交流電源をモニター装置で必要な各種のレベル直流電圧にして出力する電源供給部と、コンピューター装置のルートハブと接続されたアップストリームポートを通じて入力されるモニター駆動用情報を受信してビデオ信号処理に必要な制御信号及びモニター駆動用の情報に依拠し、スクリーン及びフォーカスを調整する制御信号を出力するモニター制御部と、モニター制御部から出力されたビデオ信号処理に必要な制御信号に依拠し、コンピューター装置と接続されたＵＳＢケーブルを通じて入力されるＲ．Ｇ．Ｂ信号を処理するとともに、これをＣＲＴの電子銃に提供して、各々の電子銃からＲ．Ｇ．Ｂ信号に対応するビームを照射させるビデオ信号処理部と、スクリーン及びフォーカスを調整する制御信号に依拠し、ＵＳＢケーブルを通じて入力される垂直同期信号と水平同期信号を処理し、ＣＲＴの電子銃から照射されるビームを偏向させ、スクリーン及びフォーカスを制御する水平及び垂直同期信号処理部と、を備えている。
【００２３】
このディスプレイ装置において、電源供給部は節電機能を持つＶＥＳＡのＤＰＭＳ方式によって、電源供給を制御する方式を採用し、具体的なの電源供給制御方式は待機、一時停止及び電力遮断の節電制御段階からなっている。
【００２４】
このディスプレイ装置において、電源供給部は各種のレベル直流電源のうち、＋５Ｖの電源をＵＳＢハブのダウンストリームポートの電源として使用する。
【００２５】
このディスプレイ装置は、ＵＳＢハブはコンピューター装置のルートハブを通じて提供される情報に依拠し、これに相応する制御動作を実行するＵＳＢ制御部と、このＵＳＢ制御部から提供される制御信号によりモニター装置内にある電源供給部から提供される電源をＵＳＢディバイスに選択的に提供するパワースイッチング部と、をさらに備えている。ＵＳＢディバイスはキーボード、オーディオ装置及びプリンターで構成されている。
【００２６】
この装置では、モニター制御部とＵＳＢ制御部は情報伝達を遂行するためにI2ＣあるいはＵＡＲＴを通じて接続されている。
【００２７】
この装置において、ＵＳＢハブのアップストリームポートはＶdd、data＋、data−及び接地(ground)セグメントで構成されている。
【００２８】
この装置において、ＵＳＢ制御部はアップストリームポートを通じて入力されるコンピュータ装置から提供のデータを、ダウンストリングポートに中継する構成としている。
【００２９】
この装置において、ＵＳＢ制御部はコンピューター装置からモニター装置を制御する信号を貯蔵、分析して、これに対する情報をI2ＣあるいはＵＡＲＴの通信プロトコルを通じて再びモニター制御部に再転送する構成を持つ。
【００３０】
この装置におけるＵＳＢ制御部は、スピーカーを通じて音声出力されるディジタル情報をディコーディングする手段と、マイクを通じて入力されるアナログ音声信号をインコーディングする手段と、を内部に備えている。
【００３１】
この装置において、ディコーディング手段はディジタル情報をアナログ信号に変換するディジタル−アナログ変換機を備え、インコーディング手段はアナログ音声信号をディジタル信号に変換するアナログ−ディジタル変換機を備えている。
【００３２】
この装置は、スピーカーを通じて音声出力されるディジタル情報をディコーディングする手段と、マイクを通じて入力されるアナログ音声信号をインコーディングする手段と、をさらに備えている。
【００３３】
さらに、ルートハブを備えるコンピュータ装置と、該コンピュータ装置とアップストリームポートを通じて接続されるＵＳＢ制御部と、該ＵＳＢ制御部の命令に応じてダウンストリームポートを制御し電源供給部からの電源をＵＳＢディバイスに供給するパワースイッチング部と、を備える本発明のディスプレイ制御装置の電源供給制御方法は、コンピュータ装置から電源スイッチング情報がアップストリームポートを通じてＵＳＢ制御部に入力されると、、該ＵＳＢ制御部が入力情報を分析した電源スイッチング制御信号をパワースイッチングへ出力する段階と、このパワースイッチング部がスイッチング制御信号に応答してＵＳＢハブのダウンストリームポートを指定し、該当ポートを通じてＵＳＢディバイスに電源を供給する段階と、パワースイッチング部がＵＳＢディバイスに供給される電源の過電流限界値を判別し、これに対する情報をＵＳＢ制御部に伝達する段階と、このＵＳＢ制御部が、過電流限界値の超過を表す情報を受信すると、この情報をコンピューター装置に提供する段階と、このコンピューター装置が超過電流限界値の超過を表す情報を受信すると、該当ダウンストリングポートを通じて供給される電源を遮断させる情報をＵＳＢ制御部に提供する段階と、を含む。
【００３４】
【発明の実施の形態】
以下、本発明の実施形態を添附図面に基づき、詳細に説明する。本発明の第１実施形態を図９に示す。図９に示した本発明の新規なディスプレイ装置は、ハブシステムを備えることで、コンピューター装置の周辺器機（ＵＳＢディバイス）をディスプレイ装置であるモニター装置と接続することができ、そして内部に装着された電源供給装置から供給される電源を、選択されたＵＳＢディバイスに提供することが可能な構成となっている。
【００３５】
ＵＳＢシステムはホストコンピューターと広い範囲の同時アクセス可能な周辺装置間のデータ交換を支援するケーブルバスで、大きくＵＳＢ相互接続部、ＵＳＢ装置、ＵＳＢホストに区分される領域によって定義ができる。
【００３６】
ＵＳＢ相互接続部は、ＵＳＢ装置がＵＳＢホストに接続されて通信する領域である。ＵＳＢ装置はＵＳＢを指定する附加的な接続を提供するＵＳＢハブであり、システム（ＵＳＢディバイス）たとえばＩＳＤＮ接続、ディジタルジョイスティク、あるいはスピーカー等に接続能力を提供する機能を持つ。
【００３７】
ＵＳＢは図５に示したように、四つの電線（four wire cable)を通じて信号と電源を伝達する。信号転送（signalling）には二つのモードがある。一方は１２Ｍｂｓ速度のＵＳＢフルスピード信号転送ビット率（USB full speed signaling bit rate)モードであり、他方は１．５Ｍｂｓ速度の限界能力低速信号転送モード（limited capability low speed signaling mode)である。
【００３８】
理論的に、図５に示すＵＳＢケーブル３０には、１２７個までの周辺装置を接続することができ、このＵＳＢケーブル３０を効果的に利用するため多数のＵＳＢ拡張コネクタを必要とする。ＵＳＢケーブル３０は図５に示すように、ＵＳＢ転送信号を伝達する二個のライン（Ｄ＋、Ｄ−）と、電源を供給するための二個のライン（ＶＢus、ＧＮＤ）の四つのラインで構成されている。このようなＵＳＢケーブルを拡張するために提案されたのがＵＳＢハブ（hub)である。
【００３９】
ＵＳＢハブは、図６に示すように、コンピューターの周辺装置を拡張するため、一つのアップストリームポート（upstream port)を通じて入力されるアップストリームデータを受信すると、これを多数のダウンストリームポート（downstream port ：Port＃１〜Port＃７）を通じて中継（repeater）する。また、コントローラによってダウンストリームの電源や通信速度（１２Ｍbsあるいは１．５Ｍbs）を制御する。
【００４０】
このようなＵＳＢハブを使用することで、電源分配及び電源管理ができるようになる。ＵＳＢを通じた電源分配は、ＵＳＢ装置がＵＳＢを通じてＵＳＢホストにより供給される電源をどのように消費するかによって、制御される。電源管理は、ＵＳＢソフトウェアと装置がホストにある電源管理システムにどのように合わせるかを制御することができる。
【００４１】
具体的に、電源分配（power distribution）において、各ＵＳＢセグメントはケーブルを通じて限界電源を供給する。ホストは直接接続されているＵＳＢハブによって、使用される電源を供給する。又、ＵＳＢハブは、自己自身の電源供給装置を持つことができる。全てがケーブルを通じて提供される電源に依存するＵＳＢハブを、バス−電源供給装置（bus-powered devices)と称じる。一方、交流電源を持っているＵＳＢハブを、自己−電源供給装置（self-powered device)と称じる。また、ハブは、これに接続されたＵＳＢハブにも電源を供給する。一般的に、ＵＳＢホストはＵＳＢハブとは別途の電源管理システムを持っている。
【００４２】
図７に示したように、ハブ４０は二つの部分、すなわちハブコントローラ４４（Hub Controller）とハブリピータ４２（Hub repeater）で構成されている。ハブリピータ４２は、アップストリームポート４６とダウンストリームポート４８−１、４８−２、……、４８−ｎの間にあるプロトコール制御スイッチである。また、リセット（reset)とサスペンド（suspend)／レジューム（resume）信号転送のためのハードウェア支援装置を持つ。コントローラ４４は前記のホストあるいはホストからの通信ができるようにするインターフェイスレジスターを提供する。
【００４３】
図８は本発明の実施形態によるモニター環境で、図７のハブ４０を使用して、周辺装置との接続能力を提供することを示す一例である。図８で、図１の構成部品と同一機能を持つ構成部品に対しては、同一な参照番号を併記する。
【００４４】
図８によれば、コンピューター装置１０には、一例として二つのルートハブ（root hub：ＲＨ１、ＲＨ２）が設けられており、その中の一つのルートハブＲＨ２はＵＳＢケーブルを通じてＵＳＢディバイスコネクタＤＣ１が設けられた電話機５１と接続されている。従って、このルートハブＲＨ２は通信用ハブとして使用される。また、他のルートハブＲＨ１は、モニター１１ａに設けられたハブのアップストリームポート（upstream port ：ＵＰ１）と接続されている。
【００４５】
モニター１１ａに設けられたハブは自己自身が電源を供給する自己−電源供給装置（self-powered device)として、このハブに接続されたＵＳＢディバイスに電源を供給することができる。たとえば、図８に示したように、モニター１１ａのハブのダウンストリームポートＤＰ１、ＤＰ２には、各々のＵＳＢディバイスコネクタＤＣ２、ＤＣ３を通じて、オーディオ装置２３、プリンター１４が接続されている。モニター１１ａのハブのダウンストリームポートＤＰ３は、キーボード１２に設けられたハブのアップストリームポートＵＰ２を通じてキーボード１２と接続されている。
【００４６】
キーボード１２に設けられたハブはバスを通じて電源を供給するバス−電源供給装置（bus-powered device）であり、ＵＳＢケーブルを通じて接続されている全てのＵＳＢディバイス、たとえばペン５２及びマウス５３等に電源を供給する。従って、キーボード１２は、ダウンストリームポートＤＰ４、ＤＰ５を通じて、ペン５２のＵＳＢディバイスコネクタＤＣ４、マウス５３のＵＳＢディバイスコネクタＤＣ５に各々接続されている。
【００４７】
上述した構成で、本発明の実施形態によるモニター装置１１ａは、自己の電源をＵＳＢディバイスに供給するハブとして構成されているため、コンピューターシステム１０の周辺装置をモニター装置に直接接続することで、プラグ・アンド・プレイ機能を実行することができる。
【００４８】
図９に本発明の第１実施形態によるモニター装置の回路構成を示す。図９において、図３、図８に示した構成部品と同一機能を持つ構成部品に対しては同一な参照番号を併記する。
【００４９】
図９による本発明の第１実施形態のモニター装置１１ａは、図３に示した従来のモニター回路と同様に、電源消費を減少させる電源管理機能を持ち、電源プラグから多くの電源が供給されてモニター回路に必要な各種のレベル電圧を出力する電源供給部１６、ビデオ信号処理部１７、水平及び垂直同期信号処理部１８、主制御部としてのモニター制御部１９及びＣＲＴ２０から構成され、さらに、ハブシステムを備えている。
【００５０】
図９に示したように、モニター制御部１９は、コンピューター装置１０と接続されたケーブル１５を通じて入力されるモニター駆動用情報を受信し、ビデオ信号処理に必要な制御信号Ｃｖ１〜Ｃｖｎである映像調整用信号、ＲＧＢ駆動用信号及びＲＧＢカットオフ調整用信号を出力する。また、モニター駆動用情報に依拠したスクリーン及びフォーカスを調整する制御信号Ｃｓ１〜Ｃｓｍを出力する。
【００５１】
ビデオ信号処理部１７は、のモニター制御部１９から出力された制御信号Ｃｖ１〜Ｃｖｎに依拠し、コンピューター装置１０と接続されたケーブル１５を通じて入力されるＲ．Ｇ．Ｂビデオ信号を処理するとともに、これをＣＲＴ２０の電子銃（未図示）に提供して、各々の電子銃からＲ．Ｇ．Ｂ信号に対応するビームを照射させる。また、水平及び垂直同期信号処理部１８は、ケーブル１５を通じて入力される制御信号Ｃｓ１〜Ｃｓｍに依拠する垂直同期信号Ｖsyncと水平同期信号Ｈsyncを処理する。この処理された垂直同期信号Ｖsync、水平同期信号Ｈsyncは、ＣＲＴ２０の電子銃から照射されるビームを偏向させ、スクリーン及びフォーカスを制御する。なお、水平及び垂直同期信号処理部１８は、この技術分野で公知のように水平位置（horizontal position)、水平の大きさ（horizontal size)、垂直位置（vertical position)、垂直な大きさ（vertical size)、サイドピンクッション（sidepincushion)、ティルト（tilt）、ピンバランス（pin balance)、上下部コーナー補正（top/bottom corner correction) 等を制御する機能を持つ。
【００５２】
本発明のモニター装置１１ａに適用されるハブシステムは、図９に示すように、モニター制御部１９との情報伝達を遂行するためにI2ＣあるいはＵＡＲＴを通じて接続されて、コンピューター装置１０のルートハブを通じて提供される情報に依拠し、これに相応した制御動作を実行するＵＳＢ制御部６２（USB Controller）、このＵＳＢ制御部６２から提供される制御信号によってモニター装置１１ａ内にある電源供給部１６から提供される電源をＵＳＢディバイスに選択的に提供するパワースイッチング部６４（power switching section）、入出力ポートＵＰ１、ＤＰ１〜ＤＰ３によって構成されている。ここで、入力ポートＵＰ１はコンピューター装置１０のルートハブＲＨ１から提供される電源及び情報を入力するアップストリームポートでありる。出力ポートＤＰ１〜ＤＰ３は、キーボード１２、オーディオ装置２３及びプリンター１４等のＵＳＢディバイスに電源を供給及び情報を伝達するダウンストリームポートである。
【００５３】
電源供給部１６は、効率的な節電機能を備えており、ＶＥＳＡ（video electronic standard association)のＤＰＭＳ（display power management system)による制御方式を採用している。この節電段階は待機、一時停止、電力遮断の３段階からなっている。モニター供給電源を遮断すると、前面の電源表示燈が待機、一時停止においては約０．５秒、電力遮断においては約１秒の間隔でちらつく。節電機能の段階では、キーボードやマウスのような入力装置を再び使用することで自動的に以前の画面状態へと復帰する。
【００５４】
一方、正常状態では電源供給部１６はモニター装置１１ａに必要な電源、すなわち＋８０Ｖ、＋１５０Ｖ、＋２４Ｖ、＋１２Ｖ、＋５Ｖ等の電源を供給する。特に、＋５Ｖの電源は、本発明のモニター装置１１ａのハブシステムにおいて、ＵＳＢダウンストリームポートの電源に使用され、ＵＳＢ制御部６２からの制御信号によってスイッチングされる。
【００５５】
又、ハブのアップストリームポートＵＰ１は、図５に示したＵＳＢケーブルのように、Ｖdd、data＋、data−、接地（ground）セグメントに構成されている。
【００５６】
ＵＳＢ制御部６２は、アップストリームポートＵＰ１を通じて入力されるコンピュータ装置１０から提供されたデータを、ダウンストリームポートＤＰ１〜ＤＰ３に中継（repeater）する機能を持つ。又、ＵＳＢ制御部６２はコンピューター装置１０からモニター装置１１ａを制御する信号を貯蔵し、分析して、これに対する情報をI2ＣあるいはＵＡＲＴの通信プロトコールを通じ再びモニター制御部１９に再転送する。
【００５７】
図１０は、図９のモニター装置１１ａのＵＳＢ制御部６２から多数のＵＳＢディバイスに分配されて供給される電源が、定格範囲を超過し、ＵＳＢのダウンストリームポートを通じてＵＳＢディバイスに提供される際に、該当のポートを通じて供給される電源を遮断する動作を示すフローチャートである。
【００５８】
図１０に示すように、ＵＳＢ制御部６２は、コンピューター装置１０から所定の電源スイッチング情報が入力されると、これを分析し（段階Ｓ１０）、スイッチング制御信号をマルチプレクサー（multiplexer)として機能するパワースイッチング部６４へ提供する（段階Ｓ１１）。この際、パワースイッチング部６４は、モニター装置１１ａ内のハブのダウンストリームポートＤＰ１〜ＤＰ３のうち、該当ポートを指定し（段階Ｓ１２）、電源が該当ポートを通じて実質的に供給されるように制御する。つまり、電源スイッチング情報に対応するＵＳＢディバイスにＵＳＢ電源を供給する。また、パワースイッチング部６４は、ダウンストリームポートＤＰ１〜ＤＰ３を通じてＵＳＢディバイスに供給される電源が過電流限界値を超過するかを判別し（段階Ｓ１３）、これに対する情報をＵＳＢ制御部６２に伝達する。供給電源が過電流限界値を超過すると、ＵＳＢ制御部６２は供給電源が過電流限界値を超過することを表す情報をコンピューター装置１０に提供する（段階Ｓ１４）。これを受信したコンピューター装置１０は、モニター装置１１に設けられたハブの該当ダウンストリームポートを通じて供給される電源を遮断する情報をＵＳＢ制御部６２に提供する（段階Ｓ１５、Ｓ１６）。
【００５９】
この実施形態によれば、ハブシステムを備えるモニター装置１１ａは、ハブのダウンストリームポートを通じて、コンピューター装置１０の周辺器機であるキーボード、ライトペン、プリンター等と接続されて、内装されたハブシステムを通じ周辺器機の電源供給制御ができるようになる。
【００６０】
図１１に本発明の第２実施形態によるモニター装置の回路構成を示す。図１１において、図９で示した構成部品と同一機能を持つ構成部品に対しては同一な参照番号を併記し、これに対する説明を省略する。
【００６１】
図１１によると、本発明のモニター装置１１ｂは、図９に示した第１実施形態のモニター装置と同様に、電源消費を減少させる電源管理機能を持ち、電源プラグから多くの電源が供給されてモニター回路に必要な各種のレベル電圧を出力する電源供給部１６、ビデオ信号処理部１７、水平及び垂直同期信号処理部１８、主制御部としてのモニター制御部１９、ＣＲＴ２０及びハブシステムを具備している。さらに、本発明の第２実施形態によるモニター装置１１ｂは、第１実施形態であるモニター装置１１ａの構成の他、ＵＳＢ制御部６２に、スピーカー７２と接続されたオーディオデコーダ（audio decoder ：７０）と、マイク８２と接続されたオーディオインコーダ（audio encoder ：８０）と、を接続した構成を採用している。
【００６２】
この実施形態では、図１１に示すオーディオデコーダ７０であるディジタル−アナログコンバータ（digital to analog converter)とオーディオインコーダ８０であるアナログ−ディジタルコンバータ（analog to digital converter)を、ＵＳＢ制御部６２に設けるのではなく、外部に設ける構成を示している。図１１に示したように、モニター制御部１９は、コンピューター装置１０と接続されたケーブル１５を通じて入力されるモニター駆動用情報を受け、ビデオ信号処理に必要な制御信号Ｃｖ１〜Ｃｖｎである映像調整用信号、ＲＧＢ駆動用信号及びＲＧＢカットオフ調整用信号を出力する。又モニター駆動用情報に依拠してスクリーン及びフォーカスを調整する制御信号Ｃｓ１〜Ｃｓｍを出力する。ビデオ信号処理部１７は、モニター制御部１９から出力された制御信号Ｃｖ１〜Ｃｖｎに依拠し、コンピューター装置１０と接続されたケーブル１５を通じて入力されるＲ．Ｇ．Ｂビデオ信号を処理するとともに、これをＣＲＴ２０の電子銃（未図示され）に提供して、各々の電子銃からＲ．Ｇ．Ｂ信号に対応するビームを照射させる。又、水平及び垂直同期信号処理部１８は、制御信号Ｃｓ１〜Ｃｓｍに依拠し、ケーブル１５を通して入力される垂直同期信号Ｖsyncと水平同期信号Ｈsyncを処理する。この処理された垂直同期信号Ｖsync、水平同期信号Ｈsyncは、ＣＲＴ２０の電子銃から照射されるビームを偏向させ、スクリーン及びフォーカスを制御する。水平及び垂直同期信号処理部１８は、この技術分野で公知のように、水平位置、水平の大きさ、垂直位置、垂直の大きさ、サイドピンクッション、チルト、ピンバランス、上下部コーナー補正等を制御する機能を持つ。
【００６３】
本発明のモニター装置１１ｂに適用されたハブシステムは、図１１で示すように、モニター制御部１９との情報伝達を遂行するためI2ＣあるいはＵＡＲＴを通じて接続されて、コンピューター装置１０のルートハブを通じて提供される情報に依拠し、これに相応した制御動作を実行するＵＳＢ制御部６２、このＵＳＢ制御部６２から提供される制御信号によって、モニター装置１１ｂ内にある電源供給部１６から提供される電源をＵＳＢディバイスに選択的に提供するパワースイッチング部６４及び入出力ポートＵＰ１、ＤＰ１〜ＤＰ３で構成されている。入力ポートＵＰ１はコンピューター装置１０のルートハブＲＨ１から提供される電源及び情報が入力されるアップストリームポートであり、出力ポートＤＰ１〜ＤＰ３はＵＳＢディバイスに電源を供給及び情報を伝達するダウンストリームポートである。
【００６４】
ＵＳＢ制御部６２は、アップストリームポートＵＰ１を通じて入力されるコンピュータ装置１０から提供されたデータを、ダウンストリームポートＤＰ１〜ＤＰ３に中継（repeater）する機能を持つ。又、ＵＳＢ制御部６２はコンピューター装置１０からモニター装置１１ｂを制御する信号を貯蔵し、分析し、これに対する情報をI2ＣあるいはＵＡＲＴの通信プロトコールを通じて、再びモニター制御部１９に再伝送する。
【００６５】
ＵＳＢ制御部６２にはダウンストリームポートＤＰ１〜ＤＰ３のうち、ある一つに接続されているオーディオシステムから提供されるディジタルオーディオ信号が入力され、これをオーディオデコーダ７０に提供したり、あるいはコンピューター装置１０からアップストリームポートＵＰ１を通じて提供されるディジタルオーディオ信号が入力されて、これをオーディオデコーダ７０に提供する。このオーディオデコーダ７０は該当ディジタルオーディオ信号をアナログ信号に変換し、スピーカー７２に伝達する。
【００６６】
また、ＵＳＢ制御部６２は、マイク８２を通じて入力される音声信号をオーディオインコーダ８０から受信し、ダウンストリームポートを通じてオーディオシステムに提供したり、あるいはアップストリームポートを通じてコンピューター装置１０に伝達したりする。この音声信号はマイク８２によって電気的なアナログ信号に変換され、そしてこのアナログ信号はオーディオインコーダ８０によってディジタル信号に変換される。
【００６７】
この実施の形態では、図１１に示したように、スピーカー７２とマイク８２とをモニター装置１１ｂに設ける構成としたが、スピーカー７２あるいはマイク８２の一方を択一的にモニター装置１１ｂに設けることもできる。
【００６８】
この実施形態によるモニター装置１１ｂのＵＳＢ制御部６２には、多数のＵＳＢディバイスに分配する電源が供給される。電源供給の際、定格範囲を超過した異常電源がＵＳＢのダウンストリームポートを通じてＵＳＢディバイスに提供されるような場合は、該当ポートを通じて供給される電源が図１０に示したフローチャートと同一のプロセスによって遮断される。なお、これに対する具体的な説明は省略する。
【００６９】
図１２は本発明の第３実施形態によるモニター装置の回路構成である。図１２において、図１１に示した構成部品と同一機能を持つ構成部品に対しては同一な参照番号を併記し、これらに関する説明は省略する。
【００７０】
図１２による本発明の第３実施形態のモニター装置１１ｃは、図１１に示した第２実施形態のモニター装置におけるオーディオデコーダ７０ａとオーディオインコーダ８０ａがＵＳＢ制御部６２ａに設けられていることを除けば、実質的に同一である。
【００７１】
モニター装置１１ｃは、図１２に示したように、電源消費を減少させる電源管理機能を持ち、電源プラグから電源が供給されてモニター回路に必要な各種のレベル電圧を出力する電源供給部１６、ビデオ信号処理部１７、水平及び垂直同期信号処理部１８、主制御部としてのモニター制御部１９、ＣＲＴ２０及びハブシステムを具備している。さらに、本発明のモニター装置１１ｃは、ＵＳＢ制御部６２ａ内に、スピーカー７２と接続されたオーディオデコーダ７０ａ、マイク８２と接続されたオーディオインコーダ８０ａを設けた構成を採用している。
【００７２】
この第３実施形態では、図１２に示すオーディオデコーダ７０ａであるディジタル−アナログコンバータ（digital to analog converter)とオーディオコンバータ８０ａであるアナログ−ディジタルコンバータ（analog to digital converter)を、ＵＳＢ制御部６２ａに設ける構成を示している。
【００７３】
図１２に示したように、モニター制御部１９は、コンピューター装置１０と接続されたケーブル１５を通じて入力されるモニター駆動用の情報を受けてビデオ信号処理に必要な制御信号Ｃｖ１〜Ｃｖｎである映像調整用信号、ＲＧＢ駆動用信号及びＲＧＢカットオフ調整用信号を出力する。又、モニター駆動用情報に依拠し、スクリーン及びフォーカスを調整する制御信号Ｃｓ１〜Ｃｓｍを出力する。ビデオ信号処理部１７は、モニター制御部１９から出力された制御信号Ｃｖ１〜Ｃｖｎに依拠し、コンピューター装置１０と接続されたケーブル１５を通じて入力されるＲ．Ｇ．Ｂビデオ信号を処理するとともに、これをＣＲＴ２０の電子銃（未図示）に提供して、各々の電子銃からＲ．Ｇ．Ｂ信号に対応するビームを照射させる。水平及び垂直同期信号処理部１８は、制御信号Ｃｓ１〜Ｃｓｍに依拠し、ケーブル１５を通して入力される垂直同期信号Ｖsyncと水平同期信号Ｈsyncを処理する。この処理された垂直同期信号Ｖsynac、水平同期信号Ｈsyncは、ＣＲＴ２０の電子銃から照射されるビームを偏向させ、スクリーン及びフォーカスを制御する。
【００７４】
本発明のモニター装置１１ｃに適用されるハブシステムは、図１２で示すように、モニター制御部１９との情報伝達を遂行するためにI2ＣあるいはＵＡＲＴを通じて接続されており、コンピューター装置１０のルートハブを通じて提供される情報に依拠し、これに相応した制御動作を実行するＵＳＢ制御部６２ａ、このＵＳＢ制御部６２ａで提供される制御信号によってモニター装置１１ｃ内にある電源供給部１６で提供される電源をＵＳＢディバイスに選択的に提供するパワースイッチング部６４及び入出力ポートＵＰ１、ＤＰ１〜ＤＰ３によって構成されている。入力ポートＵＰ１はコンピューター装置１０のルートハブＲＨ１から提供される電源及び情報を入力するアップストリームポートであり、出力ポートＤＰ１〜ＤＰ３はＵＳＢディバイスに電源を供給及び情報を伝達するダウンストリームポートである。
【００７５】
ＵＳＢ制御部６２ａは、アップストリームポートＵＰ１を通じて入力されたコンピューター装置１０から提供されるデータを、ダウンストリームポートＤＰ１〜ＤＰ３に中継（repeater）する機能を持つ。又、制御部６２ａはコンピューター装置１０からモニター装置１１ｃを制御する信号を貯蔵し、分析し、これに対する情報をI2ＣあるいはＵＡＲＴの通信プロトコールを通じて再びモニター制御部１９に再伝送する。
【００７６】
又、ＵＳＢ制御部６２ａでは、ダウンストリームポートＤＰ１〜ＤＰ３のうち、ある一つに接続されているオーディオシステムから提供されるディジタルオーディオ信号が入力されて、これをオーディオデコーダ７０ａに提供したり、あるいはコンピューター装置１０からアップストリームポートＵＰ１を通じて提供されるディジタルオーディオ信号が入力されて、これをオーディオデコーダ７０ａを提供する。このオーディオデコーダ７０ａは該当ディジタルオーディオ信号をアナログ信号に変換してスピーカー７２に伝達する。
【００７７】
さらに、ＵＳＢ制御部６２ａでは、マイク８２を通じて入力される音声信号をオーディオインコーダ８０ａを通じて受信し、ダウンストリームポートを通じてオーディオシステムに提供したり、又、アップストリームポートを通じてコンピューター装置１０に伝達する。この音声信号はマイク８２によって電気的なアナログ信号に変換され、このアナログ信号は再びオーディオインコーダ８０ａによってディジタル信号に変換される。
【００７８】
この第３実施形態も、図１１と同様に、スピーカー７２とマイク８２がモニター装置１１ｃに設けられているが、必要によってはスピーカー７２あるいはマイク８２のいずれか一方を択一的にモニター装置１１ｃに備えるようにしてもよい。
【００７９】
この第３実施形態によるモニター装置１１ｃのＵＳＢ制御部６２ａには、多数のＵＳＢディバイスに分配する電源が供給される。電源供給の際、定格範囲を超過した異常電源がＵＳＢのダウンストリームポートを通じてＵＳＢディバイスに提供されるような場合は、該当ポートを通じて供給される電源を図１０に示したフローチャートと同一なプロセスによって遮断する。これに対する具体的な説明は省略する。
【００８０】
図１３は本発明の第４実施形態によるモニター装置の回路構成である。この図１３においてて、図９に示した構成部品と同一機能を持つ構成部品に対しては同一な参照番号を併記し、これらに関する説明は省略する。図１３による本発明の第４実施形態のモニター装置１１ａは、図９に示した第１実施形態のモニター装置と同様の構成をもって、これに内装されているハブシステムのハブポートＤＰ１にスピーカー装置７４を、ハブポートＤＰ２にマイク装置８４を接続した構成である。スピーカー装置７４は、ハブポートＤＰ１に接続されているＵＳＢディバイスコネクタＤＣ６とオーディオデコーダ７０ｂ及びスピーカー７０を具備している。マイク装置８４は、ハブポートＤＰ２に接続されているＵＳＢディバイスコネクタＤＣ７とオーディオインコーダ８０ｂ及びマイク８０を具備している。
【００８１】
この第４実施形態において、モニター装置１１ａは、図１３に示すように、電源消費を減少させる電源管理機能を持ち、電源プラグから電源が供給されてモニター回路に必要な各種のレベル電圧を出力する電源供給部１６、ビデオ信号処理部１７、水平及び垂直同期信号処理部１８、主制御部としてのモニター制御部１９、ＣＲＴ２０及びハブシステムを具備している。さらに、本発明の第４実施形態によるモニター装置１１ａは、外部に設けられたスピーカー７２と接続したオーディオデコーダ７０ｂ及びマイク８２と接続したオーディオインコーダ８０ｂと、ハブポートを通じて接続された構成を採用している。
【００８２】
この第４実施形態では、図１３に示すオーディオデコーダ７０ｂであるディジタル−アナログコンバータ（digital to analog converter)とオーディオインコーダ８０ｂであるアナログ−ディジタルコンバータ（analog to digital converter)を、ＵＳＢ制御部６２に設ける構成ではなく、ハブポートに各々接続されるスピーカー装置７４とマイク装置８４内に設ける構成を示している。
【００８３】
本発明の第４実施形態によるモニター装置１１ａに適用されたハブシステムは、図１３で示したように、モニター制御部１９との情報伝達を遂行するためI2ＣあるいはＵＡＲＴを通じて接続されて、コンピューター装置１０のルートハブを通じて提供される情報に依拠し、これに相応した制御動作を実行するＵＳＢ制御部６２、このＵＳＢ制御部６２から提供される制御信号によってモニター装置１１ａ内にある電源供給部１６から提供される電源をＵＳＢディバイスに選択的に提供するパワースイッチング部６４及び入出力ポートＵＰ１、ＤＰ１〜ＤＰ３によって構成されている。入力ポートＵＰ１は、コンピューター装置１０のルートハブＲＨ１から提供される電源及び情報を入力するアップストリームポートであり、出力ポートＤＰ１〜ＤＰ３は、スピーカー装置７４とマイク装置８４等のＵＳＢディバイスに電源を供給及び情報を伝達するダウンストリームポートである。
【００８４】
ＵＳＢ制御部６２は、アップストリームポートＵＰ１を通じて入力されたコンピュータ装置１０から提供されるデータを、ダウンストリームポートＤＰ１〜ＤＰ３に中継（repeater）する機能を持つ。又、ＵＳＢ制御部６２はコンピューター装置１０からモニター装置１１ａを制御する信号を貯蔵し、分析し、これに対した情報をI2ＣあるいはＵＡＲＴの通信プロトコールを通じて再びモニター制御部１９に再伝送する。
【００８５】
又、ダウンストリームポートＤＰ１〜ＤＰ３のうち、ある一つに接続されているスピーカー装置７４は、ＵＳＢディバイスコネクタＤＣ６を通じてＵＳＢ制御部６２から提供されるディジタル音声信号が入力されると、この入力信号をオーディオデコーダ７０ｂによってアナログ音声信号に変換し、これをスピーカー７２を通じて伝達する。ダウンストリームポートＤＰ１〜ＤＰ３のうち、他の一つに接続されているマイク装置８４は、マイク８２から提供される電気的音声信号が入力されると、これをオーディオインコーダ８０ｂによってディジタル信号に変換し、このディジタル信号をＵＳＢディバイスコンネクタＤＣ７を通じてＵＳＢ制御部６２に提供する。
【００８６】
この第４実施形態でも、図１３に示したように、スピーカー装置７４とマイク装置８４がモニター装置１１ａのハブポートに接続された構成を示しているが、必要によってはスピーカー装置７４あるいはマイク装置８４のいずれか一方を択一的にモニター装置１１ａに接続するようにしてもよい。
【００８７】
第４実施形態によるモニター装置１１ａのＵＳＢ制御部６２において、定格範囲を超過した異常電源がＵＳＢのダウンストリームポートを通じてＵＳＢディバイスに提供されるような場合は、該当ポートを通じて供給される電源を図１０に示したフローチャートと同一のプロセスにによって遮断することができる。これに対する具体的な説明は省略する。
【００８８】
【発明の効果】
上述したように、本発明のモニター装置によれば、コンピューターの周辺器機を通常的にコンピューター使用者が位置しているモニター装置の前面あるいは後面に設置されたハブポートを通じて接続できるので、使用者が周辺器機を容易に設置することができる。また、コンピューター本体に周辺器機を集中的に接続することを避けることができるため、接続ラインの複雑性を解消することができる。
【図面の簡単な説明】
【図１】一般的なパーソナルコンピューターの斜視図。
【図２】図１で示したパーソナルコンピューターとモニター装置とがＤ−ＳｕｂあるいはＢＮＣビデオケーブルを通じて接続された構成図。
【図３】従来のモニター装置の回路構成図。
【図４】スピーカー及びマイク装置を備える従来のモニター装置の回路構成図。
【図５】本例によるディスプレイで使用されるＵＳＢケーブルの構造図。
【図６】本例によるディスプレイ装置で使用されるＵＳＢハブの入出力ポート（アップストリームポート及びダウンストリームポート）図。
【図７】図６に示したハブの構造図。
【図８】本例によるディスプレイ装置がＵＳＢハブを通じてコンピューターシステムに接続された構成図。
【図９】本発明の第１実施形態によるディスプレイ装置の回路構成図。
【図１０】図９に示したＵＳＢ制御部からＵＳＢハブを通じて電源供給をスイッチングして分配し、異常電源供給を感知した場合に電源供給を遮断するフローチャート。
【図１１】本発明の第２実施形態によるディスプレイ装置の回路構成図。
【図１２】本発明の第３実施形態によるディスプレイ装置の回路構成図。
【図１３】本発明の第４実施形態によるディスプレイ装置の回路構成図面。
【符号の説明】
１０ コンピューター装置
１１ａ、１１ｂ、１１ｃ モニター装置
１２ キーボード
１４ プリンター
１５ Ｄ−ＳｕｂあるいはＢＮＣビデオケーブル
１６ 電源供給部
１７ ビデオ信号処理部
１８ 水平及び垂直同期信号処理部
１９ モニター制御部
２０ ＣＲＴ
２３ オーディオシステム
３０ ＵＳＢケーブル
４０ ＵＳＢハブ
４２ ハブリピータ
４４ ハブコントローラ
５１ 電話機
５２ ライトペン
５３ マウス
ＲＨ１、ＲＨ２ ルートハブ
ＵＰ１、ＵＰ２ アップストリングポート
ＤＰ１−ＤＰ５ ダウンストリングポート
６２ ＵＳＢ制御部
６４ パワースイッチング部
【図１】
0003681255.tif 000002
【図２】
0003681255.tif 000003
【図３】
0003681255.tif 000004
【図４】
0003681255.tif 000005
【図５】
0003681255.tif 000006
【図６】
0003681255.tif 000007
【図７】
0003681255.tif 000008
【図８】
0003681255.tif 000009
【図９】
0003681255.tif 000010
【図１０】
0003681255.tif 000011
【図１１】
0003681255.tif 000012
【図１２】
0003681255.tif 000013
【図１３】
0003681255.tif 000014